(57)【要約】【課題】記録媒体に記録されたデータファイルを消去する際にデータファイル管理情報の書き換えが容易な記録再生装置を提供すること。【解決手段】１個以上のデータファイルを保持する記録媒体１４と、データファイル管理情報を作成するデータファイル管理情報作成手段２５と、作成されたデータファイル管理情報を記録媒体に格納するファイル記録手段１３と、消去したいデータファイルを選択する制御手段２０と、データファイルを再生するデータ再生手段１２とを備え、消去済みのファイルであるというファイルタイプを定義することで、データファイルの消去をデータファイル管理情報で容易に管理することができる。【選択図】図１
2005039498.tif 000002
【特許請求の範囲】
【請求項１】
所定のデータを格納するデータファイルを１個以上含むとともに、前記データファイルの内容情報、再生順序情報などのデータファイル管理情報を１個以上保持する記録媒体と、前記記録媒体に格納するデータファイル管理情報を作成するデータファイル管理情報作成手段と、前記データファイル管理情報作成手段により作成されたデータファイル管理情報を前記記録媒体に格納するファイル記録手段と、前記記録媒体から消去したいデータファイルを外部からの指示に応じて選択する制御手段と、前記データファイルを前記記録媒体に格納された前記データファイル管理情報に基づき再生するデータ再生手段とを備え、前記データファイル管理情報の一つであるデータファイルの内容情報で、消去済みのファイルであるというファイルタイプを定義していることを特徴とする記録再生装置。
【請求項２】
所定のデータを格納するデータファイルを１個以上含むとともに、前記データファイルの内容情報、再生順序情報などのデータファイル管理情報を１個以上保持する記録媒体と、前記記録媒体に格納するデータファイル管理情報を作成するデータファイル管理情報作成手段と、前記データファイル管理情報作成手段により作成されたデータファイル管理情報を前記記録媒体に格納するファイル記録手段と、前記記録媒体に保持したまま前記再生順序情報からは消去したいデータファイルを外部からの指示に応じて選択する制御手段と、前記データファイルを前記記録媒体に格納された前記データファイル管理情報に基づき再生するデータ再生手段とを備え、前記データファイル管理情報の一つである再生順序情報で、再生対象外のファイルであるというタイプを定義していることを特徴とする記録再生装置。
【請求項３】
所定のデータを格納するデータファイルを１個以上含むとともに、前記データファイルの内容情報、再生順序情報などのデータファイル管理情報を１個以上保持する記録媒体と、前記格納されたデータファイル管理情報の全部または一部に関する情報を外部に対して表示する管理情報表示手段と、前記データファイルを前記データファイル管理情報に基づき再生するデータ再生手段とを備え、前記データファイル管理情報の一つであるデータファイルの内容情報で、消去済みのファイルであると定義されたファイルや、前記データファイル管理情報の一つである再生順序情報で、再生対象外のファイルであると定義されたファイルは、内容情報を表示したり再生しようとしないように動作することを特徴とする再生装置。
【発明の詳細な説明】
【技術分野】
【０００１】
本発明は、記録再生装置、再生装置に関するものである。
【背景技術】
【０００２】
従来、パーソナルコンピュータにおいては音声データを有する音声ファイルや映像データを有する映像ファイル、静止画データを有する静止画ファイル、文字データを有するテキストファイルなどのデータファイルを選択して再生することができる。またそれらのデータは蓄積されている媒体に応じた所定のファイルシステムで管理されており、パーソナルコンピュータでは階層構造を持ったディレクトリの中に存在するファイルとして所在を認識することができる。
【０００３】
これらのデータファイルの中で複数のファイルを特定の順番で連続的に再生する手順を定義したファイルを一般にプレイリストファイルと呼んでいる。ファイル名の前にディレクトリのパス名を付けた文字列を単純に並べただけのプレイリストファイル（例えば、非特許文献１参照）や、ファイル名とそれ以外の情報を一緒に記述したＨＴＭＬ（Ｈｙｐｅｒｔｅｘｔ  Ｍａｒｋｕｐ  Ｌａｎｇｕａｇｅ）形式のプレイリストファイル（例えば、非特許文献２参照）や、データファイルをＩＤ番号で定義し、プレイリストだけではなくメニューやデータファイルのメタデータをまとめて管理するシステムなどが存在する（例えば、非特許文献３参照）。
【０００４】
ＣＤ−Ｒ（Ｃｏｍｐａｃｔ  Ｄｉｓｋ−Ｒｅｃｏｒｄａｂｌｅ）などの記録媒体にデータファイルと一緒にこれらのプレイリストを記録しておくと、それぞれのプレイリストに対応したプレーヤで再生するときに、ユーザはプレイリストを選択するだけで希望のデータファイルを一定の順序で再生することができる。
【非特許文献１】ＣＤ→ＷＡＶ→ＭＰ３のページ作者、”プレイリストについて”、［ online ］、平成１５年６月１２日、［平成１５年６月１２日検索］、インターネット＜URL:http://www.cdwavmp3.com/player/playlist.html＞
【非特許文献２】Optical Storage Technology Association, Inc.、”MPV Core Specification Revision 1.01”、［ online ］、平成１５年３月１１日、［平成１５年６月１２日検索］、インターネット＜URL:http://www.osta.org/mpv/public/specs.htm＞
【非特許文献３】麻倉怜士、”連載  何かが道をやって来る  Vol.３”、HiVi（株）ステレオサウンド  平成１５年６月号１６４〜１６７頁
【発明の開示】
【発明が解決しようとする課題】
【０００５】
これまでの記録再生装置では、例えばＤＶＤ−ＲＡＭなどの記録媒体にデータファイルを記録する場合には、データファイルの再生順序を定義したプレイリストや、プレイリストが複数ある場合にはその中からどれか一つのプレイリストを選択するためのメニュー情報や、あるいはデータファイルのパラメータをまとめた情報などのデータファイル管理情報を一緒に記録するものがある。しかし、このような情報はデータファイルが記録媒体に保持され続けていることを前提としているため、データファイルが記録媒体から消去された場合には、このデータファイルを参照しているデータファイル管理情報の正当性がなくなり、定義された通りにデータファイルを滞りなく順番に再生することができないばかりか、最悪の場合、再生動作が不安定になり動作が中断する危険が発生した。また、消去されたデータファイルを参照しているデータファイル管理情報を全て正しく書き直すには、記録再生装置に高度なファイル編集機能を必要とし、書き換えが可能な場合でも決して短くはない所要時間を要した。
【０００６】
本発明は、上記従来の問題点に鑑み、記録再生装置がデータファイルの消去に共なってデータファイル管理情報を書き換える際に、高度な編集機能を必要としない簡単な方法で書き換え動作することができ、またこのように後からデータファイルの消去を行った記録媒体に対して、再生装置がデータファイル管理情報を参照して動作する際に、矛盾なく再生動作することができる記録再生装置、再生装置を提供することを目的としてなされたものである。
【課題を解決するための手段】
【０００７】
この課題を解決するために本発明の請求項１に記載の発明は、所定のデータを格納するデータファイルを１個以上含むとともに、データファイルの内容情報、再生順序情報などのデータファイル管理情報を１個以上保持する記録媒体と、記録媒体に格納するデータファイル管理情報を作成するデータファイル管理情報作成手段と、データファイル管理情報作成手段により作成されたデータファイル管理情報を記録媒体に格納するファイル記録手段と、記録媒体から消去したいデータファイルを外部からの指示に応じて選択する制御手段と、データファイルを記録媒体に格納されたデータファイル管理情報に基づき再生するデータ再生手段とを備え、データファイル管理情報の一つであるデータファイルの内容情報で、消去済みのファイルであるというファイルタイプを定義していることを特徴とする記録再生装置としたものであり、記録再生装置において記録媒体に保存されたデータファイルを消去する場合に、本来ならば記録媒体に関連情報として一緒に保存されたデータファイル管理情報を全て書き直さなければいけないが、消去対象のデータファイルの内容情報を記述したデータファイル管理情報の中でファイルタイプを記述した部分のみを消去済みのファイルであるという設定に書き換えることにより、再生順序を定義したプレイリストや、プレイリストが複数ある場合にはその中からどれか一つのプレイリストを選択するためのメニュー情報や、あるいはデータファイルのパラメータをまとめた情報などのデータファイル管理情報は書き換えずにそのままにしておいても良いので、高度な編集機能を必要としない簡単な方法でデータファイルの消去を行うことができるという作用を有する。
【０００８】
本発明の請求項２に記載の発明は、所定のデータを格納するデータファイルを１個以上含むとともに、データファイルの内容情報、再生順序情報などのデータファイル管理情報を１個以上保持する記録媒体と、記録媒体に格納するデータファイル管理情報を作成するデータファイル管理情報作成手段と、データファイル管理情報作成手段により作成されたデータファイル管理情報を記録媒体に格納するファイル記録手段と、記録媒体に保持したまま再生順序情報からは消去したいデータファイルを外部からの指示に応じて選択する制御手段と、データファイルを記録媒体に格納されたデータファイル管理情報に基づき再生するデータ再生手段とを備え、データファイル管理情報の一つである再生順序情報で、再生対象外のファイルであるというタイプを定義していることを特徴とする記録再生装置としたものであり、記録再生装置において記録媒体に保存されたデータファイルを消去せずに再生順序を定義したプレイリスト上からのみ消去する場合に、本来ならば記録媒体に関連情報として一緒に保存されたプレイリストを全て書き直さなければいけないが、消去対象のデータファイルを記述した部分のみを再生対象外のファイルであるという設定に書き換えることにより、プレイリスト全体を書き換える必要がないので、高度な編集機能を必要としない簡単な方法で再生順序情報からは消去することができるという作用を有する。
【０００９】
本発明の請求項３に記載の発明は、所定のデータを格納するデータファイルを１個以上含むとともに、データファイルの内容情報、再生順序情報などのデータファイル管理情報を１個以上保持する記録媒体と、格納されたデータファイル管理情報の全部または一部に関する情報を外部に対して表示する管理情報表示手段と、データファイルをデータファイル管理情報に基づき再生するデータ再生手段とを備え、データファイル管理情報の一つであるデータファイルの内容情報で、消去済みのファイルであると定義されたファイルや、データファイル管理情報の一つである再生順序情報で、再生対象外のファイルであると定義されたファイルは、内容情報を表示したり再生しようとしないように動作することを特徴とする再生装置再生装置としたものであり、後からデータファイルの消去を行った記録媒体からデータファイルの内容情報を記述したデータファイル管理情報を事前に読み出しておき、再生順序を定義したプレイリストに基づいてデータファイルを順番に再生する場合に、データファイルの内容情報の中に消去済みのファイルであるというファイルタイプに設定されているデータファイルの順番であると、記録媒体のどこに保存されているかという情報が残っていても、既に消去されているものと判断して、次のデータファイルの再生に動作を移行し、また再生順序を定義したプレイリストに再生対象外のファイルであると定義されている場合にも次のデータファイルの再生に動作を移行することで、矛盾なく再生動作を継続できるように機能するという作用を有する。
【発明の効果】
【００１０】
以上のように本発明によれば、記録再生装置において記録媒体に保存されたデータファイルを消去する場合に、本来ならば記録媒体に関連情報として一緒に保存されたデータファイル管理情報を全て書き直さなければいけないが、消去対象のデータファイルの内容情報を記述したデータファイル管理情報の中でファイルタイプを記述した部分のみを消去済みのファイルであるという設定に書き換えることにより、再生順序を定義したプレイリストや、プレイリストが複数ある場合にはその中からどれか一つのプレイリストを選択するためのメニュー情報や、あるいはデータファイルのパラメータをまとめた情報などのデータファイル管理情報は書き換えずにそのままにしておいても良い。また、記録媒体に保存されたデータファイルを消去せずに再生順序を定義したプレイリスト上からのみ消去する場合に、本来ならば記録媒体に関連情報として一緒に保存されたプレイリストを全て書き直さなければいけないが、消去対象のデータファイルを記述した部分のみを再生対象外のファイルであるという設定に書き換えることにより、プレイリスト全体を書き換える必要がないので、高度な編集機能を必要としない簡単な方法でデータファイルの消去を行うことができる。さらに、このように後から消去編集を行った記録媒体に対して、再生装置がデータファイル管理情報を参照して動作する際に、矛盾なく再生動作することができる。
【発明を実施するための最良の形態】
【００１１】
以下本発明の実施の形態について、図１から図３を用いて説明する。
【００１２】
（実施の形態１）
はじめに、本発明の第１の実施の形態における記録再生装置のブロック図である図１を主として参照しながら、本実施の形態の記録再生装置の構成について説明する。１０は記録再生システムにおいて記録再生動作を行う部分である記録再生装置、１１は記録再生装置において再生／消去するデータを管理する再生／消去ファイル管理手段、１９は記録再生装置において記録媒体に格納されたデータファイルを再生するデータ再生手段、１２はデータ再生手段において再生するデータが外部に保存されている場合にそれを読み出すためのファイル再生手段、１３は記録再生装置において外部の記録媒体にデータを書き込むためのファイル記録手段、１４は記録再生装置がデータの読み出しと書き込みを行う記録媒体、１５は記録再生装置で扱う所定のデータを格納したデータファイル、１６は記録媒体に保存される１個以上のデータファイルのデータファイル内容情報を格納したコンテンツ一覧情報ファイル、１７は記録媒体に保存される１個以上のデータファイルの再生順序情報を格納したプレイリストファイル、１８は記録再生装置の動作を指示する再生消去指示手段、２２はデータファイル管理情報の全部または一部に関する情報を外部に対して表示する管理情報表示手段、２１はデータ再生手段においてファイル再生手段によって記録媒体から読み出したデータファイルをデコードしてオーディオ、ビデオ、静止画あるいは文字情報として出力するデータファイル出力手段、２０は再生／消去ファイル管理手段において再生消去指示手段の指示により記録媒体から読み出したコンテンツ一覧情報ファイルやプレイリストファイルなどのデータ管理情報を利用して再生あるいは消去の動作を制御する制御手段、２５は再生／消去ファイル管理手段において記録媒体に格納するデータファイル管理情報を作成するデータファイル管理情報作成手段、２４はデータファイル管理情報作成手段において記録媒体に書き込むためのコンテンツ一覧情報ファイルを作成するコンテンツ一覧情報ファイル作成手段である。図２は、本発明のコンテンツ一覧情報ファイルの説明図であり、３０はコンテンツ一覧情報ファイルのヘッダ情報を格納するヘッダ部、３１はコンテンツ一覧情報ファイルのオーディオファイルに関するパラメータ情報を格納するオーディオパラメータ情報格納部、３２はコンテンツ一覧情報ファイルの静止画ファイルに関するパラメータ情報を格納する静止画パラメータ情報格納部、３３はコンテンツ一覧情報ファイルのビデオファイルに関するパラメータ情報を格納するビデオパラメータ情報格納部、３４はオーディオパラメータ情報格納部の第１番目に格納されたオーディオファイル＃１のパラメータ情報、３５はコンテンツ一覧情報ファイルでオーディオファイルのＩＤを定義するパラメータ情報であるコンテンツＩＤ、３６はコンテンツ一覧情報ファイルでオーディオファイルのファイルタイプを定義するパラメータ情報であるファイルタイプパラメータ、３７はファイルタイプを定義したファイルタイプのコード表である。図３は本発明のプレイリストファイルの説明図であり、４０はプレイリストファイルのヘッダ情報を格納するヘッダ部、４１はプレイリストファイルの再生するファイルの順番をＩＤで表した再生順序記述部を構成している。
【００１３】
具体的には、再生／消去ファイル管理手段１１はＣＰＵ（Ｃｅｎｔｒａｌ  Ｐｒｏｃｅｓｓｉｎｇ  Ｕｎｉｔ）などを有している。また、ファイル再生手段１２とファイル記録手段１３は、ＣＤ−Ｒ／−ＲＷ、ＤＶＤ−ＲＡＭ／−Ｒ／−ＲＷ／＋Ｒ／＋ＲＷドライブなどを有している。また、データファイル出力手段２１は、デコーダなどを有している
ここで、コンテンツ一覧情報ファイル１６、プレイリストファイル１７について詳述する。まず（Ａ）コンテンツ一覧情報ファイル１６について説明し、次に（Ｂ）プレイリストファイル１７について説明する。
【００１４】
（Ａ）図２に示すコンテンツ一覧情報ファイル１６は、記録媒体１４に記録されたデータファイル管理情報の一種であり、オーディオ、静止画、ビデオの各種データファイルそのものを規定する固有のパラメータ情報やそれぞれのファイル名などの情報を格納している。
【００１５】
パラメータ情報とは、データファイル出力手段２１においてデータファイルそのものを再生したり、データファイルの補助情報を表示するために必要な情報である。ここに、データファイルの再生を実行するために必要な情報とは、（１）オーディオファイルに関しては、ＡＶＩ（Ａｕｄｉｏ  Ｖｉｄｅｏ  Ｉｎｔｅｒｌｅａｖｅ）ファイル形式やＷＭＡ（Ｗｉｎｄｏｗｓ（Ｒ）  Ｍｅｄｉａ  Ａｕｄｉｏ）ファイル形式やＡＳＦ（Ａｄｖａｎｃｅｄ  Ｓｙｓｔｅｍｓ  Ｆｏｒｍａｔ）ファイル形式におけるヘッダ情報として格納されている、そのオーディオファイルを規定するサンプリング周波数情報、チャネル数情報、圧縮方式情報、演奏時間情報、データレート情報などであり、（２）静止画ファイルに関しては、ＪＰＥＧ（Ｊｏｉｎｔ  Ｐｉｃｔｕｒｅ  Ｅｘｐｅｒｔ  Ｇｒｏｕｐ）ファイル形式におけるヘッダ情報として格納されている、その静止画ファイルを規定する圧縮方式情報、画像サイズ情報などであり、（３）ビデオファイルに関しては、ＡＶＩファイル形式やＷＭＶ（Ｗｉｎｄｏｗｓ（Ｒ）  Ｍｅｄｉａ  Ｖｉｄｅｏ）ファイル形式やＡＳＦファイル形式におけるヘッダ情報として格納されている、その映像ファイルを規定する画像サイズ情報、フレームレート情報、データレート情報、圧縮方式情報、再生時間情報などである。
【００１６】
オーディオファイル＃１のパラメータ情報３４に示すようにコンテンツ一覧情報ファイルに登録されたファイルにはそれぞれ一意的にＩＤが割り振られており、コンテンツＩＤ３５の部分に示される。ファイルタイプのコード表３７で定義されたファイルタイプがファイルタイプパラメータ３６の部分に示される。
【００１７】
（Ｂ）図３に示すプレイリストファイル１７は、記録媒体１４に記録されたデータファイル管理情報の一種であり、記録媒体１４に保存される１個以上のデータファイルの全部または一部に対する再生順序情報を格納している。プレイリスト種別情報などを格納したヘッダ部４０と再生順序と再生方法を格納した再生順序記述部４１から成る。再生順序の指定には、コンテンツ一覧情報ファイル１６で割り当てられたコンテンツＩＤを記述している。もちろん、プレイリストファイルは、一つの再生指定順序において同一のデータファイルを複数回指定していても良い。
【００１８】
次に、本実施の形態の記録再生装置の動作について説明する。なお、本実施の形態の記録再生装置の動作について説明しながら、本発明の請求項３の再生装置の一実施の形態についても説明する。
【００１９】
はじめに、記録媒体１４に記録されたデータファイル１５を同じく記録媒体１４に記録されたファイル管理情報であるコンテンツ一覧情報ファイル１６とプレイリストファイル１７を利用して再生するための、記録再生装置１０の動作について説明する。
【００２０】
再生／消去ファイル管理手段１１の制御手段２０は、「記録媒体１４からプレイリストファイル１７を読み出してその内容を表示し、その中から好みのプレイリストを選択すると直ちにその順番通りにデータファイルを再生したい」旨のユーザが行った指示に従い、まずファイル再生手段１２により記録媒体１４に格納されたコンテンツ一覧情報ファイル１６を読み取り、記録されているコンテンツの種類、数、ファイル名、ファイルタイプ等のパラメータ情報を認識する。次に記録媒体にファイル再生のためのメニュー情報があればそれを利用して管理情報表示手段２２によりメニュー表示を行うが、そのような情報がない場合には独自のユーザインターフェースによりプレイリストの表示を行う。ユーザは再生消去指示手段１８を用いて表示されたプレイリストの中からどれか一つのプレイリストを選択する。制御手段２０はファイル再生手段１２により記録媒体１４からユーザが選択したプレイリストファイル１７を読み取り、再生順序記述部４１に記録されている第一番目のコンテンツＩＤで示されるデータファイルを読み出す。ここで示されるコンテンツＩＤのファイルが記録媒体１４のどこに記録されたファイルであるかは、あらかじめ読み込んであるコンテンツ一覧情報ファイル１６の内容で知ることができる。読み出された第一番目のデータファイルはデータファイル出力手段２１によりデコードされて再生される。再生の仕方、あるいは次の第二番目のデータファイルの再生に移行するときの動作の仕方などが再生順序記述部４１の再生指定情報に記述されていることもある。例えばオーディオ再生であればイコライザやエコー、サラウンドなどの音響効果、マルチチャンネルのミックス方法、フェードイン・アウトの処理があり、静止画再生であれば画面が変わるときのトランジション効果、再生表示位置情報、画像表示拡大率情報があっても良い。このような再生指定に従い、次々と順番にコンテンツＩＤで示されたデータファイルの再生を継続し、最後のｐ番目のデータファイルの再生が終了するとプレイリストによる一連の再生動作を終了する。
【００２１】
次に、記録媒体１４に記録されたデータファイル１５の中から、不要になったファイルを消去し、同時に記録媒体１４に記録されたファイル管理情報であるコンテンツ一覧情報ファイル１６を書き換えるための、記録再生装置１０の動作について説明する。
【００２２】
再生／消去ファイル管理手段１１の制御手段２０は、「記録媒体１４から不要になったデータファイルを消去し、それ以降に再生動作を行うときに不具合のないようにファイル管理情報を書き換えたい」旨のユーザが行った指示に従い、まずファイル再生手段１２により記録媒体１４に格納されたコンテンツ一覧情報ファイル１６を読み取り、記録されているコンテンツの種類、数、ファイル名、ファイルタイプ等のパラメータ情報を認識する。次に独自のユーザインターフェースによりコンテンツ一覧情報ファイル１６に登録されたデータファイルの一覧を表示するか、あるいはコンテンツ一覧情報ファイル１６に登録されていないデータファイルも含めて記録媒体１４に記録されたデータファイルの全ての一覧を表示する。ユーザは再生消去指示手段１８を用いて再生／消去ファイル管理手段１１により、表示されたデータファイルの中から一個以上の消去したいデータファイルを選択する。ファイル記録手段１３は再生／消去ファイル管理手段１１の指示により選択されたデータファイルの消去を行う。同時に制御手段２０の指示によりコンテンツ一覧情報ファイル作成手段２４は記録媒体１４から読み出したコンテンツ一覧情報ファイル１６の中で、消去を行ったデータファイルのファイルタイプパラメータ３６の設定を消去済みファイルのコードに変更し、ファイル記録手段１３は変更されたコンテンツ一覧情報ファイル１６の書き換えを行う。
【００２３】
もし、消去されたデータファイルに関するファイル管理情報を、残骸を残さずきれいに書き直すとすると、コンテンツ一覧情報ファイル１６の中でオーディオパラメータ情報格納部３１と静止画パラメータ情報格納部３２とビデオパラメータ情報格納部３３の該当部分を全て削除し、削除された部分以降のデータを前に詰め直す必要が生じる。作業的には単純であるが、作業用のメモリの少ない民生用機器ではコンテンツ一覧情報ファイル１６を分割して読み込んでいる場合や、メモリ上のデータ編集で数バイト単位でしかデータの移動ができない場合があり、書き換え作業で多大な処理時間を必要とすることもある。またコンテンツＩＤ３５を明示的に示さずにパラメータ情報が格納された順番をコンテンツＩＤと定義している場合には、削除されたパラメータ情報以降のコンテンツＩＤ３５が全てずれてしまうことになり、コンテンツＩＤ３５を使用して再生順序を表しているプレイリスト１７は全て新しく割り振られたコンテンツＩＤに書き直す必要が生じる。これに対して消去済みファイルのコードに変更することにより、プレイリストの書き換えは全く必要なく、またコンテンツ一覧情報ファイル１６の書き換えも必要最小限の部分的なデータの置き換えで実現することができる。
【００２４】
次に、記録媒体１４に記録されたデータファイル１５の中から、不要になったファイルが消去され、同時に記録媒体１４に記録されたファイル管理情報であるコンテンツ一覧情報ファイル１６で消去済みファイルのコードが使用されている場合に、プレイリストファイル１７を利用して再生を行うときの記録再生装置１０の動作について説明する。
【００２５】
再生／消去ファイル管理手段１１の制御手段２０は、「コンテンツ一覧情報ファイル１６で消去済みファイルのコードが使用されている記録媒体１４からプレイリストファイル１７を読み出してその内容を表示し、その中から好みのプレイリストを選択すると直ちにその順番通りに滞りなくデータファイルを再生したい」旨のユーザが行った指示に従い、まずファイル再生手段１２により記録媒体１４に格納されたコンテンツ一覧情報ファイル１６を読み取り、記録されているコンテンツの種類、数、ファイル名、ファイルタイプ等のパラメータ情報を認識する。次に記録媒体にファイル再生のためのメニュー情報があればそれを利用して管理情報表示手段２２によりメニュー表示を行うが、そのような情報がない場合には独自のユーザインターフェースによりプレイリストの表示を行う。ユーザは再生消去指示手段１８を用いて表示されたプレイリストの中からどれか一つのプレイリストを選択する。制御手段２０はファイル再生手段１２により記録媒体１４からユーザが選択したプレイリストファイル１７を読み取り、再生順序記述部４１に記録されている第一番目のコンテンツＩＤで示されるデータファイルを読み出す。ここで示されるコンテンツＩＤのファイルが記録媒体１４のどこに記録されたファイルであるかは、あらかじめ読み込んであるコンテンツ一覧情報ファイル１６の内容で知ることができる。もし、第一番目のコンテンツのデータファイルパラメータ３６の設定が消去済みファイルのコードである場合には、このデータファイルの読み出し動作は行わずに、次の第二番目のコンテンツのデータファイルパラメータ３６の設定確認動作に移行する。第一番目のコンテンツのデータファイルパラメータ３６の設定が消去済みファイルのコードでない場合には、ファイル再生手段１２により第一番目のデータファイルを読み出し、データファイル出力手段２１によりデコードを行って再生する。再生の仕方、あるいは次の第二番目のデータファイルの再生に移行するときの動作の仕方などが再生順序記述部４１の再生指定情報に記述されていることもある。第一番目のデータファイルの再生が終了すると引き続き、第二番目のコンテンツのデータファイルパラメータ３６の設定を確認し、以下同様の操作を最後の第ｐ番目のコンテンツを再生し終わるまで繰り返す。このように消去されたデータファイルについてのコンテンツ一覧情報が消去済みファイルのコードに設定されている場合には、例えそのデータファイルが記録されているディレクトリ情報や各種パラメータ情報が残っていたとしても、あらかじめ消去されているデータファイルであることを認識できるので、不用意にそのファイルを読み出そうとする動作を開始することもなく、プレイリストファイル１７に示された次のコンテンツの再生に移行することができる。
【００２６】
以上のように本実施形態によれば、記録再生装置において記録媒体に保存されたデータファイルを消去する場合に、本来ならば記録媒体に関連情報として一緒に保存されたデータファイル管理情報を全て書き直さなければいけないが、消去対象のデータファイルの内容情報を記述したデータファイル管理情報の中でファイルタイプを記述した部分のみを消去済みのファイルであるという設定に書き換えることにより、再生順序を定義したプレイリストや、プレイリストが複数ある場合にはその中からどれか一つのプレイリストを選択するためのメニュー情報や、あるいはデータファイルのパラメータをまとめた情報などのデータファイル管理情報は書き換えずにそのままにしておいても良いので、高度な編集機能を必要としない簡単な方法でデータファイルの消去を行うことができ、またこのように後からデータファイルの消去を行った記録媒体に対して、再生装置がデータファイル管理情報を参照して動作する際に、矛盾なく再生動作することができることとなる。
【００２７】
（実施の形態２）
次に、本発明の第２の実施の形態における記録再生装置のブロック図である図１を主として参照しながら、本実施の形態の記録再生装置の構成について説明する。
【００２８】
実施の形態２では実施の形態１に対して再生／消去ファイル管理手段１１において記録媒体に書き込むためのコンテンツ一覧情報ファイルを作成するコンテンツ一覧情報ファイル作成手段２４は必要なく、それに対して再生／消去ファイル管理手段１１において記録媒体に書き込むためのプレイリストファイルを作成するプレイリストファイル作成手段２３の構成が追加されている。
【００２９】
次に、本実施の形態の記録再生装置の動作について説明する。なお、本実施の形態の記録再生装置の動作について説明しながら、本発明の請求項３の再生装置の一実施の形態についても説明する。
【００３０】
はじめに、記録媒体１４に記録されたデータファイル１５そのものは保持したまま再生順序からは消去したい場合に、記録媒体１４に記録されたファイル管理情報であるプレイリストファイル１７を書き換えるための、記録再生装置１０の動作について説明する。
【００３１】
再生／消去ファイル管理手段１１の制御手段２０は、「記録媒体１４のデータファイルは残したまま、そのデータファイルを再生するように指示している一個以上のプレイリストで、今後再生しないようにファイル管理情報を書き換えたい」旨のユーザが行った指示に従い、まずファイル再生手段１２により記録媒体１４に格納されたコンテンツ一覧情報ファイル１６あるいはプレイリストファイル１７を読み取り、記録されているコンテンツの種類、数、ファイル名、ファイルタイプ等のパラメータ情報あるいはプレイリスト情報を認識する。次に独自のユーザインターフェースによりコンテンツ一覧情報ファイル１６に登録されたデータファイルの一覧の表示、あるいはプレイリストファイル１７に登録されたデータファイルの一覧を表示する。ユーザは再生消去指示手段１８を用いて再生／消去ファイル管理手段１１により、表示されたデータファイルの中から一個以上のプレイリストからは消去したいデータファイルを選択する。制御手段２０の指示によりプレイリストファイル作成手段２３は記録媒体１４から読み出したプレイリストファイル１７の中で、再生を取りやめたいデータファイルの再生記述部４１のコンテンツＩＤの設定を再生対象外のファイルであるというタイプに変更し、ファイル記録手段１３は変更されたプレイリストファイル１７の書き換えを行う。
【００３２】
再生対象外のファイルであるというコンテンツＩＤ設定には、通常使うことのないＩＤを割り当てる。例えばコンテンツＩＤの番号が１番から１００００番の間しか使用しない場合には０番を使用しても良いし、１０００１番を使用しても良い。
【００３３】
もし、再生を取りやめたい第ｘ番目のデータファイルに関する再生順序情報を、残骸を残さずきれいに書き直すとすると、プレイリストファイル１７の中で第ｘ番目のコンテンツのファイルのＩＤと第ｘ番目の再生指定情報の該当部分を全て削除し、削除された部分以降のデータを前に詰め直す必要が生じる。作業的には単純であるが、作業用のメモリの少ない民生用機器ではプレイリストファイル１７を分割して読み込んでいる場合や、メモリ上のデータ編集で数バイト単位でしかデータの移動ができない場合があり、書き換え作業で多大な処理時間を必要とすることもある。これに対して再生対象外のファイルであるというタイプのコードに変更することにより、それ以外のプレイリスト情報の書き換えは全く必要なく、必要最小限の部分的なデータの置き換えで実現することができる。
【００３４】
次に、記録媒体１４に記録されたデータファイル１５そのものは保持したまま再生対象外のファイルであるというコードが使用されているプレイリストファイル１７の再生を行うときの記録再生装置１０の動作について説明する。
【００３５】
再生／消去ファイル管理手段１１の制御手段２０は、「プレイリストファイル１７で再生対象外のコードが使用されている記録媒体１４からプレイリストファイル１７を読み出してその内容を表示し、その中から好みのプレイリストを選択すると直ちにその順番通りに滞りなくデータファイルを再生したい」旨のユーザが行った指示に従い、まずファイル再生手段１２により記録媒体１４に格納されたコンテンツ一覧情報ファイル１６を読み取り、記録されているコンテンツの種類、数、ファイル名、ファイルタイプ等のパラメータ情報を認識する。次に記録媒体にファイル再生のためのメニュー情報があればそれを利用して管理情報表示手段２２によりメニュー表示を行うが、そのような情報がない場合には独自のユーザインターフェースによりプレイリストの表示を行う。ユーザは再生消去指示手段１８を用いて表示されたプレイリストの中からどれか一つのプレイリストを選択する。制御手段２０はファイル再生手段１２により記録媒体１４からユーザが選択したプレイリストファイル１７を読み取り、再生順序記述部４１に記録されている第一番目のコンテンツＩＤで示されるデータファイルを読み出す。ここで示されるコンテンツＩＤのファイルが記録媒体１４のどこに記録されたファイルであるかは、あらかじめ読み込んであるコンテンツ一覧情報ファイル１６の内容で知ることができる。もし、第一番目のコンテンツのＩＤが再生対象外のコードである場合には、このデータファイルの読み出し動作は行わずに、次の第二番目のコンテンツのデータファイルパラメータ３６の設定確認動作に移行する。第一番目のコンテンツのＩＤが再生対象外のコードでない場合には、ファイル再生手段１２により第一番目のデータファイルを読み出し、データファイル出力手段２１によりデコードを行って再生する。再生の仕方、あるいは次の第二番目のデータファイルの再生に移行するときの動作の仕方などが再生順序記述部４１の再生指定情報に記述されていることもある。第一番目のデータファイルの再生が終了すると引き続き、第二番目のコンテンツのデータファイルパラメータ３６の設定を確認し、以下同様の操作を最後の第ｐ番目のコンテンツを再生し終わるまで繰り返す。このようにプレイリストに登録されているコンテンツのＩＤが再生対象外のコードに設定されている場合には、その順番のコンテンツは無視して次のコンテンツの再生に移行することができる。
【００３６】
以上のように本実施形態によれば、記録再生装置において記録媒体に保存されたデータファイルを消去せずに再生順序を定義したプレイリスト上からのみ消去する場合に、本来ならば記録媒体に関連情報として一緒に保存されたプレイリストを全て書き直さなければいけないが、消去対象のデータファイルを記述した部分のみを再生対象外のファイルであるという設定に書き換えることにより、プレイリスト全体を書き換える必要がないので、高度な編集機能を必要としない簡単な方法で再生順序情報からは消去することができ、またこのように再生順序を定義したプレイリストに再生対象外のファイルであると定義されている記録媒体に対して矛盾なく再生動作することができることとなる。
【００３７】
以上においては、実施の形態１、２について詳細に説明を行った。なお、本発明の記録媒体は、上述した実施の形態においては、ＤＶＤ−ＲＡＭメディア、ＣＤ−Ｒ／−ＲＷメディアやＤＶＤ−Ｒ／−ＲＷ／＋Ｒ／＋ＲＷメディアなどの光ディスクメディアであったが、記録装置や再生装置に内蔵されるＨＤＤ（Ｈａｒｄ  Ｄｉｓｋ  Ｄｒｉｖｅ）などの内蔵記憶装置であっても良いし、ＳＤカードやその他機器内蔵のフラッシュメモリであっても良いし、ネットワーク上に接続されたサーバー機器やその他どんなネットワーク機器であっても良い。また上述した実施の形態においては、データファイル管理情報作成手段２５はプレイリストファイル作成手段２３とコンテンツ一覧情報ファイル作成手段２４を含むように構成したが、メニューファイルやテキストファイルを作成する手段を含むように構成しても良い。また上述した実施の形態においては、データ再生手段１９はファイル再生手段１２とデータファイル出力手段２１を含むように構成したが、記録媒体１４からここに記録されたデータファイル１５およびコンテンツ一覧情報ファイル１６やプレイリストファイル１７のようなデータファイル管理情報を読み出し、データ再生のためにデコードできるのであれば、それ以外の構成であっても良い。また、上述した実施の形態の再生／消去ファイル管理手段１１は、ＣＰＵ等の純然たるハードウェアに限らず、ファームウェアや、ＯＳ、さらに周辺機器を含むものであっても良い。なお、本発明の構成は、ソフトウェア的に実現しても良いし、ハードウェア的に実現しても良い。
【図面の簡単な説明】
【００３８】
【図１】本発明の記録再生装置のブロック図
【図２】本発明のコンテンツ一覧情報ファイルの説明図
【図３】本発明のプレイリストファイルの説明図
【符号の説明】
【００３９】
１０    記録再生装置
１１    再生／消去ファイル管理手段
１２    ファイル再生手段
１３    ファイル記録手段
１４    記録媒体
１５    データファイル
１６    コンテンツ一覧情報ファイル
１７    プレイリストファイル
１８    再生消去指示手段
１９    データ再生手段
２０    制御手段
２１    データファイル出力手段
２２    管理情報表示手段
２３    プレイリストファイル作成手段
２４    コンテンツ一覧情報ファイル作成手段
２５    データファイル管理情報作成手段
３０    ヘッダ部
３１    オーディオパラメータ情報格納部
３２    静止画パラメータ情報格納部
３３    ビデオパラメータ情報格納部
３４    オーディオファイル＃１のパラメータ情報
３５    コンテンツＩＤ
３６    ファイルタイプパラメータ
３７    ファイルタイプのコード表
４０    ヘッダ部
４１    再生順序記述部
【図１】
2005039498.tif 000003
【図２】
2005039498.tif 000004
【図３】
2005039498.tif 000005